(57)【特許請求の範囲】
【請求項１】
ＯＬＴと、前記ＯＬＴに接続された複数のＯＮＵとを備えたＰＯＮシステムにおいて、
前記ＯＬＴは、
前記ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報を管理するＯＮＵ管理部と、
リンク未確立の前記ＯＮＵに対してＭＰＣＰリンクを確立するＭＰＣＰディスカバリーシーケンスを処理する第１のモード動作部と、
全ての前記ＯＮＵに対してＭＰＣＰディスカバリーシーケンスを連続的に処理し、その後、前記ＯＮＵ毎に、前記ＯＮＵ管理部により管理される情報に基づいて必要なシーケンスを処理する第２のモード動作部と、
前記ＯＮＵ管理部により管理される情報に基づいて、前記第１，２のモード動作部のうち一方を動作させるモード遷移部とを備えた
ことを特徴とするＰＯＮシステム。
【請求項２】
ＯＬＴと、前記ＯＬＴに接続された複数のＯＮＵとを備えたＰＯＮシステムにおいて、
前記ＯＬＴは、
前記ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報を管理するＯＮＵ管理部と、
リンク未確立の前記ＯＮＵに対してＭＰＣＰリンクを確立するＭＰＣＰディスカバリーシーケンスを処理する第１のモード動作部と、
前記ＯＮＵ毎に、ＭＰＣＰディスカバリーシーケンスを処理し、かつ前記ＯＮＵ管理部により管理される情報に基づいて必要なシーケンスを処理する第３のモード動作部と、
前記ＯＮＵ管理部により管理される情報に基づいて、前記第１，３のモード動作部のうち一方を動作させるモード遷移部とを備えた
ことを特徴とするＰＯＮシステム。
【請求項３】
ＯＬＴと、前記ＯＬＴに接続された複数のＯＮＵとを備えたＰＯＮシステムにおいて、
前記ＯＬＴは、
前記ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報、当該シーケンスの処理を必要とするイベントの発生有無を示す情報を管理するＯＮＵ管理部と、
リンク未確立の前記ＯＮＵに対してＭＰＣＰリンクを確立するＭＰＣＰディスカバリーシーケンスを処理する第１のモード動作部と、
全ての前記ＯＮＵに対してＭＰＣＰディスカバリーシーケンスを連続的に処理し、その後、前記ＯＮＵ管理部により管理される情報に基づいて前記特定のイベントが発生した場合に必要なシーケンスを処理する第４のモード動作部と、
前記ＯＮＵ管理部により管理される情報に基づいて、前記第１，４のモード動作部のうち一方を動作させるモード遷移部とを備えた
ことを特徴とするＰＯＮシステム。
【請求項４】
複数のＯＮＵが接続されたＯＬＴにおいて、
前記ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報を管理するＯＮＵ管理部と、
リンク未確立の前記ＯＮＵに対してＭＰＣＰリンクを確立するＭＰＣＰディスカバリーシーケンスを処理する第１のモード動作部と、
全ての前記ＯＮＵに対してＭＰＣＰディスカバリーシーケンスを連続的に処理し、その後、前記ＯＮＵ毎に、前記ＯＮＵ管理部により管理される情報に基づいて必要なシーケンスを処理する第２のモード動作部と、
前記ＯＮＵ管理部により管理される情報に基づいて、前記第１，２のモード動作部のうち一方を動作させるモード遷移部と
を備えたことを特徴とするＯＬＴ。
【請求項５】
複数のＯＮＵが接続されたＯＬＴにおいて、
前記ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報を管理するＯＮＵ管理部と、
リンク未確立の前記ＯＮＵに対してＭＰＣＰリンクを確立するＭＰＣＰディスカバリーシーケンスを処理する第１のモード動作部と、
前記ＯＮＵ毎に、ＭＰＣＰディスカバリーシーケンスを処理し、かつ前記ＯＮＵ管理部により管理される情報に基づいて必要なシーケンスを処理する第３のモード動作部と、
前記ＯＮＵ管理部により管理される情報に基づいて、前記第１，３のモード動作部のうち一方を動作させるモード遷移部と
を備えたことを特徴とするＯＬＴ。
【請求項６】
複数のＯＮＵが接続されたＯＬＴにおいて、
前記ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報、当該シーケンスの処理を必要とするイベントの発生有無を示す情報を管理するＯＮＵ管理部と、
リンク未確立の前記ＯＮＵに対してＭＰＣＰリンクを確立するＭＰＣＰディスカバリーシーケンスを処理する第１のモード動作部と、
全ての前記ＯＮＵに対してＭＰＣＰディスカバリーシーケンスを連続的に処理し、その後、前記ＯＮＵ管理部により管理される情報に基づいて前記特定のイベントが発生した場合に必要なシーケンスを処理する第４のモード動作部と、
前記ＯＮＵ管理部により管理される情報に基づいて、前記第１，４のモード動作部のうち一方を動作させるモード遷移部と
を備えたことを特徴とするＯＬＴ。
【請求項７】
ＯＬＴと、前記ＯＬＴに接続された複数のＯＮＵとを備えたＰＯＮシステムによる高速回線復旧処理方法において、
前記ＯＬＴは、
ＯＮＵ管理部により、前記ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報を管理するＯＮＵ管理ステップと、
第１のモード動作部により、リンク未確立の前記ＯＮＵに対してＭＰＣＰリンクを確立するＭＰＣＰディスカバリーシーケンスを処理する第１のモード動作ステップと、
第２のモード動作部により、全ての前記ＯＮＵに対してＭＰＣＰディスカバリーシーケンスを連続的に処理し、その後、前記ＯＮＵ毎に、前記ＯＮＵ管理部により管理される情報に基づいて必要なシーケンスを処理する第２のモード動作ステップと、
モード遷移部により、前記ＯＮＵ管理部により管理される情報に基づいて、前記第１，２のモード動作部のうち一方を動作させるモード遷移ステップとを有する
ことを特徴とする高速回線復旧処理方法。
【請求項８】
ＯＬＴと、前記ＯＬＴに接続された複数のＯＮＵとを備えたＰＯＮシステムによる高速回線復旧処理方法において、
前記ＯＬＴは、
ＯＮＵ管理部により、前記ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報を管理するＯＮＵ管理ステップと、
第１のモード動作部により、リンク未確立の前記ＯＮＵに対してＭＰＣＰリンクを確立するＭＰＣＰディスカバリーシーケンスを処理する第１のモード動作ステップと、
第３のモード動作部により、前記ＯＮＵ毎に、ＭＰＣＰディスカバリーシーケンスを処理し、かつ前記ＯＮＵ管理部により管理される情報に基づいて必要なシーケンスを処理する第３のモード動作ステップと、
モード遷移部により、前記ＯＮＵ管理部により管理される情報に基づいて、前記第１，３のモード動作部のうち一方を動作させるモード遷移ステップとを有する
ことを特徴とする高速回線復旧処理方法。
【請求項９】
ＯＬＴと、前記ＯＬＴに接続された複数のＯＮＵとを備えたＰＯＮシステムによる高速回線復旧処理方法において、
前記ＯＬＴは、
ＯＮＵ管理部により、前記ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報、当該シーケンスの処理を必要とするイベントの発生有無を示す情報を管理するＯＮＵ管理ステップと、
第１のモード動作部により、リンク未確立の前記ＯＮＵに対してＭＰＣＰリンクを確立するＭＰＣＰディスカバリーシーケンスを処理する第１のモード動作ステップと、
第４のモード動作部により、全ての前記ＯＮＵに対してＭＰＣＰディスカバリーシーケンスを連続的に処理し、その後、前記ＯＮＵ管理部により管理される情報に基づいて前記イベントが発生した場合に必要なシーケンスを処理する第４のモード動作ステップと、
モード遷移部により、前記ＯＮＵ管理部により管理される情報に基づいて、前記第１，４のモード動作部のうち一方を動作させるモード遷移ステップとを有する
ことを特徴とする高速回線復旧処理方法。
【発明の詳細な説明】
【技術分野】
【０００１】
この発明は、局側装置（以下、ＯＬＴ：Ｏｐｔｉｃａｌ  Ｌｉｎｅ  Ｔｅｒｍｉｎａｌ）と複数の加入者側装置（以下、ＯＮＵ：Ｏｐｔｉｃａｌ  Ｎｅｔｗｏｒｋ  Ｕｎｉｔ）とを備えた光通信ネットワークであるＰＯＮ（Ｐａｓｓｉｖｅ  Ｏｐｔｉｃａｌ  Ｎｅｔｗｏｒｋ）システムにおいて、特にＯＬＴと全ＯＮＵとの間でデータ通信が可能な回線を高速に復旧させるＰＯＮシステム、ＯＬＴ及びその高速回線復旧処理方法に関するものである。
【背景技術】
【０００２】
ＰＯＮシステムでは、１つのＯＬＴと複数のＯＮＵとを光スターカプラ等のパッシブな光分岐器で接続することにより光通信を行う。ＰＯＮシステムの制御は、ＩＥＥＥ８０２．３にて標準化されている。ＯＬＴからＯＮＵへの下り信号は、１本の幹線光ファイバを介して光分岐器まで送信され、当該光分岐器で分岐された後、支線光ファイバを介して全てのＯＮＵに送信される。また、ＯＮＵからＯＬＴへの上り信号は、各ＯＮＵから各支線光ファイバを介して光分岐器へ送信され、当該光分岐器から１本の幹線光ファイバを介してＯＬＴへ送信される。ここで、ＯＮＵからＯＬＴへの上り信号に関して、複数のＯＮＵが一斉に信号を送信すると、各ＯＮＵから送信された信号同士の干渉が発生し、ＯＬＴ側で正しく信号を受信することができなくなる。【０００３】
上記信号の干渉を防止するため、各ＯＮＵからＯＬＴへ送信される上り信号は、限られた伝送帯域の中で時分割送信する必要がある。そこで、予め各ＯＮＵを識別するための固有番号であるＬＬＩＤ（Ｌｏｇｉｃａｌ  Ｌｉｎｋ  ＩＤ）という識別子を各ＯＮＵに付与し、当該ＬＬＩＤを用いて各ＯＮＵに対し信号の送信タイミングを通知するようにしている。
また、ＯＬＴから各ＯＮＵへ送信される下り信号に関しても、１本の幹線光ファイバから送信された信号は光分岐器で分岐されて全ＯＮＵに送信される。そして、各ＯＮＵでは、受信した信号に収容されたＬＬＩＤを読み取り、当該ＬＬＩＤが自己に付与されたＬＬＩＤと一致すれば信号を取り込み、一致しない場合は信号を廃棄する処理を行う。【０００４】
ＩＥＥＥ８０２．３では、上記ＬＬＩＤを各ＯＮＵに付与する手順を規定している。ＯＬＴは、常に新しいＯＮＵを発見する準備のために一定周期でＤｉｓｃｏｖｅｒｙＧａｔｅ信号をブロードキャスト方式で一斉に全ＯＮＵへ送信する。ＤｉｓｃｏｖｅｒｙＧａｔｅ信号は、ＬＬＩＤが付与されていないＯＮＵ（以下、リンク未確立ＯＮＵ）に対して信号の送信タイミングを通知する信号である。一方、ＯＮＵは、上り信号同士の干渉を防止するため、ＯＬＴからＧａｔｅ（ＤｉｓｃｏｖｅｒｙＧａｔｅ、ＧｒａｎｔＧａｔｅ等）信号を受信しない限り、ＯＮＵ側から信号を送信しない仕様となっている。【０００５】
次に、ＤｉｓｃｏｖｅｒｙＧａｔｅ信号を受信したリンク未確立ＯＮＵはＲｅｇｉｓｔｅｒＲｅｑｕｅｓｔ信号を送信し、リンクの要求、すなわちＬＬＩＤの付与を要求する。  次に、ＯＬＴからリンク未確立ＯＮＵに対しＲｅｇｉｓｔｅｒ信号を送信し、ＬＬＩＤを付与する。また、ＯＬＴは、付与したＬＬＩＤを含むＧｒａｎｔＧａｔｅ信号を該当ＯＮＵにユニキャスト方式で個別に通知する。ＧｒａｎｔＧａｔｅ信号は、他のＯＮＵとのデータ通信の混み具合を見ながら、上り送信帯域と上り送信タイミングを通知している。  ＯＮＵは、ＧｒａｎｔＧａｔｅ信号を受信すると、指示された上り送信タイミングでＲｅｇｉｓｔｅｒＡｃｋ信号を送信し、Ｒｅｇｉｓｔｅｒ信号によりＬＬＩＤが付与されたことをＯＬＴへ通知する。ＯＬＴは、ＯＮＵに付与したＬＬＩＤと当該ＯＮＵ固有のＭＡＣ（Ｍｅｄｉａ  Ａｃｃｅｓｓ  Ｃｏｎｔｒｏｌ）アドレスを対応付けて管理する。
以上により、ＯＬＴとＯＮＵの通信リンク（以下、ＭＰＣＰ（Ｍｕｌｔｉ−Ｐｏｉｎｔ  Ｃｏｎｔｒｏｌ  Ｐｒｏｔｏｃｏｌ）リンク）が確立される。このＭＰＣＰリンクを確立する手順を以下、ＭＰＣＰディスカバリーシーケンスと呼ぶ。【０００６】
ＭＰＣＰディスカバリーシーケンスによってＭＰＣＰリンクを確立したＯＮＵは、ＯＬＴとのデータ通信が可能となる。ＯＬＴから送信されるＮｏｒｍａｌＧａｔｅ信号に対して、上りに送信するデータ量を申告するＲｅｐｏｒｔ信号をＯＮＵから返信し、ＯＬＴが送信を許可することで上りデータ通信が可能となる。しかし通常は、ＯＬＴからＯＮＵに対して遠隔での制御や設定を可能とするためのＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）リンクを確立する手順（以下、ＯＡＭディスカバリーシーケンス）や、ＯＬＴとＯＮＵ間のデータ通信の秘匿性を保つために信号を暗号化するための手順（以下、暗号化シーケンス）及び、認証されたＯＮＵだけにデータ通信を許可するための手順（以下、認証シーケンス）を経た後にデータ通信を開始する。【０００７】
複数のＯＮＵが接続されたＯＬＴは、ＭＰＣＰリンクを確立したＯＮＵに対して前述の各シーケンスを継続して処理すると同時に、一定周期でＤｉｓｃｏｖｅｒｙＧａｔｅ信号を送信して他のリンク未確立ＯＮＵに対するＭＰＣＰディスカバリーシーケンスを処理する。ＯＬＴは、このような並行処理を繰り返し、接続された全ＯＮＵのデータ通信を可能とする。【０００８】
ＰＯＮシステムにおいて、ＯＬＴとＯＮＵの間の幹線光ファイバ又は支線光ファイバが切れた場合や、ＯＮＵの電源が落ちた場合、ＯＬＴから送信するＧａｔｅ（ＤｉｓｃｏｖｅｒｙＧａｔｅ、Ｇｒａｎｔ  Ｇａｔｅ等）信号に対するＯＮＵからの応答が無いことより、ＯＬＴ側にて当該ＯＮＵとの間のＭＰＣＰリンクが切れたことを検出する。ただし、幹線光ファイバ又は支線光ファイバが一瞬切れた後直ちに回復（以下、瞬断）した際や、ＯＮＵの電源が一瞬落ちた後直ちに回復（以下、瞬停）した際の、瞬断又は瞬停の時間が一定時間以下である場合においては、ＯＬＴ及びＯＮＵにおいてＭＰＣＰリンクを維持する機能（以下、ホールドオーバー機能）がある。【０００９】
ホールドオーバー機能にてＭＰＣＰリンクを維持できる一定時間以上の瞬断又は瞬停が発生した場合は、一旦ＭＰＣＰリンクが切れたＯＮＵに対して再びＭＰＣＰディスカバリーシーケンスから処理を始め、データ通信が可能な回線を復旧させる。この回線の復旧には高速性が求められる。従来の高速回線復旧処理方法としては、通信状態に関する最新情報（暗号パスワード、通信設定等）を更新して記憶しておき、回線を復旧させる際に記憶してある情報を利用することで復旧手順の一部を省略して高速化する方法がある（例えば特許文献１参照）。また、ＭＰＣＰディスカバリーシーケンスに機能的に含まれるＯＬＴとＯＮＵ間の距離測定において、複数のＯＮＵとの距離測定を同時に実施することで回線復旧を高速化する方法もある（例えば特許文献２参照）。さらに、高優先サービスを提供しているＯＮＵ等の優先的に回線を復旧させたいＯＮＵをＯＬＴにて識別し、当該ＯＮＵに対して優先的に回線を復旧させる処理方法もある（例えば特許文献３、４参照）。
【先行技術文献】
【特許文献】
【００１０】
【特許文献１】特開２００２−１９８９８３号公報
【特許文献２】特開２００１−７８３２号公報
【特許文献３】特開２００９−１８８５１９号公報
【特許文献４】特開２００６−２６２１２９号公報
【発明の概要】
【発明が解決しようとする課題】
【００１１】
ＰＯＮシステムが適用されるネットワークにおいて、ＯＮＵに対する遠隔での制御や設定が不要な場合や、通信における上位層にて暗号化されているためにデータ通信の秘匿性が担保されている場合、企業内通信に限られるためにＯＮＵ毎の認証が不要な場合等、ＯＡＭディスカバリーシーケンスや暗号化シーケンス、認証シーケンスが不要な場合もある。しかしながら、従来のＰＯＮシステムでは、前述の各シーケンスの必要性を判断することができない。そのため、ＭＰＣＰディスカバリーシーケンスによってＭＰＣＰリンクを確立した後にこれらの不要なシーケンスを処理することで回線の復旧までの時間が長くなるという課題があった。【００１２】
また、ホールドオーバー機能にてＭＰＣＰリンクを維持できる一定時間以上の幹線光ファイバ瞬断後や全ＯＮＵ電源の一斉瞬停後等、全ＯＮＵの回線を一度に復旧させる場合において、従来のＰＯＮシステムでは、ＯＬＴからのＤｉｓｃｏｖｅｒｙＧａｔｅ信号の送信が一定周期であるため、あるＯＮＵのＭＰＣＰディスカバリーシーケンスが完了しても他のリンク未確立ＯＮＵは次の周期までＤｉｓｃｏｖｅｒｙＧａｔｅ信号を待つ必要がある（一例として、ＭＰＣＰディスカバリーシーケンスに要する時間は約１７ミリ秒であり、ＯＬＴからＤｉｓｃｏｖｅｒｙＧａｔｅ信号を送信する周期は約１００ミリ秒である）。そのため、接続されるＯＮＵの台数が増えるに従って、全ＯＮＵの回線復旧に要する時間におけるリンク未確立ＯＮＵが次のＤｉｓｃｏｖｅｒｙＧａｔｅ信号を待つ時間の割合が大きくなるとともに、全ＯＮＵの回線復旧までの時間が長くなるといった課題もあった。【００１３】
この発明は、上記のような課題を解決するためになされたもので、高速に回線を復旧することができるＰＯＮシステム、ＯＬＴ及びその高速回線復旧処理方法を提供することを目的としている。
【課題を解決するための手段】
【００１４】
この発明に係るＰＯＮシステムは、ＯＬＴと、ＯＬＴに接続された複数のＯＮＵとを備えたＰＯＮシステムにおいて、ＯＬＴは、ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報を管理するＯＮＵ管理部と、リンク未確立のＯＮＵに対してＭＰＣＰリンクを確立するＭＰＣＰディスカバリーシーケンスを処理する第１のモード動作部と、全てのＯＮＵに対してＭＰＣＰディスカバリーシーケンスを連続的に処理し、その後、ＯＮＵ毎に、ＯＮＵ管理部により管理される情報に基づいて必要なシーケンスを処理する第２のモード動作部と、ＯＮＵ管理部により管理される情報に基づいて、第１，２のモード動作部のうち一方を動作させるモード遷移部とを備えたものである。【００１５】
また、この発明に係るＰＯＮシステムは、ＯＬＴと、ＯＬＴに接続された複数のＯＮＵとを備えたＰＯＮシステムにおいて、ＯＬＴは、ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報を管理するＯＮＵ管理部と、リンク未確立のＯＮＵに対してＭＰＣＰリンクを確立するＭＰＣＰディスカバリーシーケンスを処理する第１のモード動作部と、ＯＮＵ毎に、ＭＰＣＰディスカバリーシーケンスを処理し、かつＯＮＵ管理部により管理される情報に基づいて必要なシーケンスを処理する第３のモード動作部と、ＯＮＵ管理部により管理される情報に基づいて、第１，３のモード動作部のうち一方を動作させるモード遷移部とを備えたものである。【００１６】
また、この発明に係るＰＯＮシステムは、ＯＬＴと、ＯＬＴに接続された複数のＯＮＵとを備えたＰＯＮシステムにおいて、ＯＬＴは、ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報、当該シーケンスの処理を必要とするイベントの発生有無を示す情報を管理するＯＮＵ管理部と、リンク未確立のＯＮＵに対してＭＰＣＰリンクを確立するＭＰＣＰディスカバリーシーケンスを処理する第１のモード動作部と、全てのＯＮＵに対してＭＰＣＰディスカバリーシーケンスを連続的に処理し、その後、ＯＮＵ管理部により管理される情報に基づいて特定のイベントが発生した場合に必要なシーケンスを処理する第４のモード動作部と、ＯＮＵ管理部により管理される情報に基づいて、第１，４のモード動作部のうち一方を動作させるモード遷移部とを備えたものである。【００１７】
また、この発明に係る高速回線復旧処理方法は、ＯＬＴと、ＯＬＴに接続された複数のＯＮＵとを備えたＰＯＮシステムによる高速回線復旧処理方法において、ＯＬＴは、ＯＮＵ管理部により、ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報を管理するＯＮＵ管理ステップと、第１のモード動作部により、リンク未確立のＯＮＵに対してＭＰＣＰリンクを確立するＭＰＣＰディスカバリーシーケンスを処理する第１のモード動作ステップと、第２のモード動作部により、全てのＯＮＵに対してＭＰＣＰディスカバリーシーケンスを連続的に処理し、その後、ＯＮＵ毎に、ＯＮＵ管理部により管理される情報に基づいて必要なシーケンスを処理する第２のモード動作ステップと、モード遷移部により、ＯＮＵ管理部により管理される情報に基づいて、第１，２のモード動作部のうち一方を動作させるモード遷移ステップとを有するものである。【００１８】
また、この発明に係る高速回線復旧処理方法は、ＯＬＴと、ＯＬＴに接続された複数のＯＮＵとを備えたＰＯＮシステムによる高速回線復旧処理方法において、ＯＬＴは、ＯＮＵ管理部により、ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報を管理するＯＮＵ管理ステップと、第１のモード動作部により、リンク未確立のＯＮＵに対してＭＰＣＰリンクを確立するＭＰＣＰディスカバリーシーケンスを処理する第１のモード動作ステップと、第３のモード動作部により、ＯＮＵ毎に、ＭＰＣＰディスカバリーシーケンスを処理し、かつＯＮＵ管理部により管理される情報に基づいて必要なシーケンスを処理する第３のモード動作ステップと、モード遷移部により、ＯＮＵ管理部により管理される情報に基づいて、第１，３のモード動作部のうち一方を動作させるモード遷移ステップとを有するものである。【００１９】
また、この発明に係る高速回線復旧処理方法は、ＯＬＴと、ＯＬＴに接続された複数のＯＮＵとを備えたＰＯＮシステムによる高速回線復旧処理方法において、ＯＬＴは、ＯＮＵ管理部により、ＯＮＵ毎に、ＯＡＭリンクを確立するＯＡＭディスカバリーシーケンス、信号を暗号化する暗号化シーケンス及びデータ通信を許可する認証シーケンスが必要か否かを示す情報、当該シーケンスの処理を必要とするイベントの発生有無を示す情報を管理するＯＮＵ管理ステップと、第１のモード動作部により、リンク未確立のＯＮＵに対してＭＰＣＰリンクを確立するＭＰＣＰディスカバリーシーケンスを処理する第１のモード動作ステップと、第４のモード動作部により、全てのＯＮＵに対してＭＰＣＰディスカバリーシーケンスを連続的に処理し、その後、ＯＮＵ管理部により管理される情報に基づいてイベントが発生した場合に必要なシーケンスを処理する第４のモード動作ステップと、モード遷移部により、ＯＮＵ管理部により管理される情報に基づいて、第１，４のモード動作部のうち一方を動作させるモード遷移ステップとを有するものである。
【発明の効果】
【００２０】
この発明によれば、上記のように構成したので、高速に回線を復旧することができる。
【図面の簡単な説明】
【００２１】
【図１】この発明の実施の形態１に係るＰＯＮシステムの構成を示すブロック図である。
【図２】この発明の実施の形態１におけるＯＮＵ管理部により管理されるＯＮＵ管理テーブルを示す図である。
【図３】この発明の実施の形態１におけるＰＯＮ制御部の状態遷移を示す図である。
【図４】この発明の実施の形態１におけるＰＯＮ制御部のＭＰＣＰリンク確立優先モードにおけるＰＯＮシステム全体のシーケンス図である。
【図５】この発明の実施の形態１におけるＰＯＮ制御部のＭＰＣＰリンク確立優先モードにおけるフローチャートである。
【図６】この発明の実施の形態１におけるＰＯＮ制御部の定常モードにおけるフローチャートである。
【図７】この発明の実施の形態２に係るＰＯＮシステムの構成を示すブロック図である。
【図８】この発明の実施の形態２におけるＰＯＮ制御部の状態遷移を示す図である。
【図９】この発明の実施の形態２におけるＰＯＮ制御部のＯＮＵ毎回線復旧モードにおけるＰＯＮシステム全体のシーケンス図である。
【図１０】この発明の実施の形態２におけるＰＯＮ制御部のＯＮＵ毎回線復旧モードにおけるフローチャートである。
【図１１】この発明の実施の形態３におけるＰＯＮシステムの構成を示すブロック図である。
【図１２】この発明の実施の形態３におけるＯＮＵ管理部により管理されるＯＮＵ管理テーブルである。
【図１３】この発明の実施の形態３におけるＰＯＮ制御部の状態遷移を示す図である。
【図１４】この発明の実施の形態３におけるＰＯＮ制御部の逐次回線復旧モードにおけるＰＯＮシステム全体のシーケンス図である。
【図１５】この発明の実施の形態３におけるＰＯＮ制御部の逐次回線復旧モードにおけるフローチャートである。
【発明を実施するための形態】
【００２２】
以下、この発明の実施の形態について図面を参照しながら詳細に説明する。
実施の形態１．
図１はこの発明の実施の形態１に係るＰＯＮシステムの構成を示すブロック図である。
ＰＯＮシステムでは、図１に示すように、ＯＬＴ１が１本の幹線光ファイバ４を介して光分岐器３と接続され、光分岐器３で分岐された各支線光ファイバ５を介して複数のＯＮＵ２に接続されている。
【００２３】
ＯＬＴ１は、ＯＮＵ管理部１１、ＰＯＮ制御部１２及び光送受信部１３から構成されている。
【００２４】
ＯＮＵ管理部１１は、ＯＮＵ管理テーブルを管理するものである。
図２は、ＯＮＵ管理部１１により管理されるＯＮＵ管理テーブルの一例を示す図である。図２に示すように、ＯＮＵ管理テーブルには、ＯＮＵ２毎に固有のＭＡＣアドレスをキーとして、ＯＡＭディスカバリーシーケンス（ＯＡＭ）、暗号化シーケンス（暗号）、認証シーケンス（認証）の各々について処理が必要か否かを管理する。例えば、ＯＮＵ２に対する遠隔での制御、設定が不要な場合は、当該ＯＮＵ２のＭＡＣアドレスのエントリにＯＡＭシーケンス不要として管理する。また、通信における上位層にて暗号化されているためにデータ通信の秘匿性が担保されており、ＯＬＴ１とＯＮＵ２での暗号化が不要な場合は、当該ＯＮＵ２のＭＡＣアドレスのエントリに暗号化シーケンス不要として管理する。さらに、ＰＯＮシステムが企業内通信のように限られたネットワークに適用される場合は、ＯＮＵ２毎の認証が不要なため、使用されるＯＮＵ２のＭＡＣアドレスのエントリに認証シーケンス不要として管理する。
また、ＯＮＵ管理部１１は、上記情報に加え、ＭＰＣＰリンク、ＯＮＵ２に付与されたＬＬＩＤ番号、ＯＡＭリンク、暗号化、認証の各状態を管理する。
【００２５】
また、ＯＮＵ管理部１１は、各ＯＮＵ２のＭＰＣＰリンクの状態を管理するため、管理される全ＯＮＵ２においてＭＰＣＰリンクが未確立となると、全ＯＮＵ２のＭＰＣＰリンクが切れたこと（以下、全ＯＮＵリンク断）をＰＯＮ制御部１２へ通知する機能を有している。また、管理される全ＯＮＵ２においてＭＰＣＰリンクが確立し、各ＯＮＵ２で必要とされるシーケンスが全て完了すると、全ＯＮＵ２の回線が復旧したこと（以下、全ＯＮＵ回線復旧）をＰＯＮ制御部１２へ通知する機能も有している。
【００２６】
ＰＯＮ制御部１２は、ＯＮＵ２との間での通信制御を行うものである。この際、ＰＯＮ制御部１２は、ＯＮＵ管理部１１により管理されるＯＮＵ管理テーブルの情報に従って、ＯＮＵ２側のＰＯＮ制御部２１との間でＭＰＣＰディスカバリーシーケンスによるＭＰＣＰリンクの確立や、ＯＡＭディスカバリーシーケンスによるＯＡＭリンクの確立、暗号化シーケンス及び認証シーケンスを処理する。このＰＯＮ制御部１２は、第１のモード動作部１２１、第２のモード動作部１２２及びモード遷移部１２３から構成されている。
【００２７】
第１のモード動作部１２１は、リンク未確立ＯＮＵ２に対してＭＰＣＰディスカバリーシーケンスを処理する定常モードで動作するものである。
【００２８】
第２のモード動作部１２２は、全てのＯＮＵ２に対してＭＰＣＰディスカバリーシーケンスを連続的に処理し、その後、ＯＮＵ２毎に、ＯＮＵ管理部１１により管理されるＯＮＵ管理テーブルに基づいて必要なシーケンスを処理するＭＰＣＰリンク確立優先モードで動作するものである。
【００２９】
モード遷移部１２３は、ＯＮＵ管理部１１により管理されるＯＮＵ管理テーブルに基づいて、第１，２のモード動作部１２１，１２２のうち一方を動作させるようＰＯＮ制御部１２の状態を遷移するものである。
【００３０】
図３はＰＯＮ制御部１２の状態遷移を示す図である。
図３に示すように、ＰＯＮ制御部１２は、定常モードとＭＰＣＰリンク確立優先モードの２つの動作モードを持つ。
【００３１】
ここで、定常モードは、ＰＯＮシステムが安定動作している状態の動作モードである。  そして、一定周期でＤｉｓｃｏｖｅｒｙＧａｔｅ信号を送信し、新たに接続されたリンク未確立ＯＮＵ２に対するＭＰＣＰディスカバリーシーケンスを開始できるように動作する。
一方、ＭＰＣＰリンク確立優先モードは、ホールドオーバー機能にてＭＰＣＰリンクを維持できる一定時間以上の幹線光ファイバ４の瞬断後、全ＯＮＵ電源の一斉瞬停後等、全ＯＮＵ２の回線を一度に復旧させる動作モードである。
【００３２】
なお、モード遷移部１２３は、ＰＯＮ制御部１２が定常モードの場合において、ＯＮＵ管理部１１から全ＯＮＵリンク断通知を受けると、ＭＰＣＰリンク確立優先モードに遷移する。一方、モード遷移部１２３は、ＰＯＮ制御部１２がＭＰＣＰリンク確立優先モードの場合において、ＯＮＵ管理部１１から全ＯＮＵ回線復旧通知を受けると、定常モードに遷移する。
【００３３】
光送受信部１３は、ＯＮＵ２の光送受信部２２との間で光による通信を行うものである。
【００３４】
ＯＮＵ２は、ＰＯＮ制御部２１及び光送受信部２２から構成されている。なお、ＯＮＵ２は、一般に汎用されているものでよい。
【００３５】
ＰＯＮ制御部２１は、ＯＬＴ１との間での通信制御を行うものである。
光送受信部２２は、ＯＬＴ１の光送受信部１３との間で光による通信を行うものである。
【００３６】
次に、上記のように構成されたＰＯＮシステムの動作について説明する。まず、ＰＯＮ制御部１２のＭＰＣＰリンク確立優先モードにおけるＰＯＮシステム全体の動作について、図４を参照しながら説明する。なお以下では、ＯＮＵ管理部１１により管理されるＯＮＵ管理テーブルとして図２に示すものを用いるものとする。
ＰＯＮ制御部１２のＭＰＣＰリンク確立優先モードにおけるＰＯＮシステム全体の動作では、図４に示すように、ＰＯＮ制御部１２のモード遷移部１２３は、ＯＮＵ管理部１１からの通知により全ＯＮＵリンク断を検出し、ＭＰＣＰリンク確立優先モードに遷移する。そして、第２のモード動作部１２２は、接続されている複数の全ＯＮＵ２に対して順次ＭＰＣＰディスカバリーシーケンスを処理する。
【００３７】
第２のモード動作部１２２は、まず、ＯＮＵ♯１に対するＭＰＣＰディスカバリーシーケンスを開始する。ここで、図２に示すＯＮＵ管理テーブルにおいて、ＯＮＵ♯１の登録内容は、ＯＡＭディスカバリーシーケンス、暗号化シーケンス及び認証シーケンスの処理が不要となっている。そのため、ＯＮＵ♯１は、ＭＰＣＰディスカバリーシーケンスが完了してＭＰＣＰリンクが確立された時点で回線復旧し、データ通信が可能となる。
【００３８】
そして、第２のモード動作部１２２は、ＯＮＵ♯１に対するＭＰＣＰディスカバリーシーケンスが完了すると、従来のＰＯＮシステムにおける一定周期の時間間隔を待たずして次のＯＮＵ♯２に対するＭＰＣＰディスカバリーシーケンスを開始する。
その後、第２のモード動作部１２２は、同様に接続された全ＯＮＵ２がＭＰＣＰリンクを確立するまで次々とＭＰＣＰディスカバリーシーケンスを処理する。
【００３９】
その後、第２のモード動作部１２２は、ＯＮＵ管理部１１により管理されるＯＮＵ管理テーブルに基づいて、必要なシーケンスを処理する。
【００４０】
ここで、図２に示すＯＮＵ管理テーブルにおいて、ＯＮＵ♯２の登録内容は、ＯＡＭディスカバリーシーケンスの処理が必要となっており、暗号化シーケンス及び認証シーケンスの処理が不要となっている。そのため、第２のモード動作部１２２は、全ＯＮＵ２がＭＰＣＰリンクを確立した後、ＯＮＵ♯２に対してＯＡＭディスカバリーシーケンスを処理する。そして、ＯＮＵ♯２は、ＯＡＭリンクが確立された時点で回線復旧し、データ通信が可能となる。
【００４１】
また、図２に示すＯＮＵ管理テーブルにおいて、ＯＮＵ♯３の登録内容は、ＯＡＭディスカバリーシーケンスの処理が不要となっており、暗号化シーケンス及び認証シーケンスの処理が必要となっている。そのため、第２のモード動作部１２２は、ＯＮＵ♯２が回線復旧した後、ＯＮＵ♯３に対して暗号化シーケンス及び認証シーケンスを処理する。そして、ＯＮＵ♯３は、データの暗号化と認証が完了した時点で回線復旧し、データ通信が可能となる。
【００４２】
その後、第２のモード動作部１２２は、同様にＯＮＵ２毎に必要なシーケンスを次々と処理することで全ＯＮＵ２の回線を復旧させ、全ＯＮＵ２のデータ通信を可能とする。その後、モード遷移部１２３は、ＯＮＵ管理部１１から全ＯＮＵ回線復旧通知を受けて定常モードに遷移する。
【００４３】
ここで、各シーケンスに要する概算時間は、ＭＰＣＰディスカバリーシーケンスは約１７ミリ秒であり、ＯＡＭディスカバリーシーケンスは約１３０ミリ秒であり、暗号化シーケンスは約１００ミリ秒以上であり、認証シーケンスは約４０ミリ秒である。そして、本発明では、従来構成における回線復旧時間に対し、実施しないシーケンスの時間分だけ回線復旧時間を短縮できる。
【００４４】
なお上記では、ＯＮＵ♯１から順に処理を行う場合について示したが、実際には、ＯＬＴ１に接続された複数のＯＮＵ２のうち、どのＯＮＵ２が先にシーケンスを処理するかは、ランダムに決定される。
【００４５】
次に、ＰＯＮ制御部１２のＭＰＣＰリンク確立優先モードにおけるフローチャートについて図５に示す。なお、ＯＮＵ管理部１１は、ＯＮＵ管理テーブルの管理を行っている（ＯＮＵ管理ステップ）。
ＰＯＮ制御部１２のＭＰＣＰリンク確立優先モードにおけるフローチャートでは、図５に示すように、モード遷移部１２３がＯＮＵ管理部１１からの通知により全ＯＮＵリンク断を検出してＭＰＣＰリンク確立優先モードに遷移した後（ステップＳＴ５０１、モード遷移ステップ）、第２のモード動作部１２２は、リンク未確立ＯＮＵ２がある限りリンク未確立ＯＮＵ２に対するＭＰＣＰディスカバリーシーケンスを処理し、全ＯＮＵ２のＭＰＣＰリンクを確立することを優先する（ステップＳＴ５０２，５０３、第２のモード動作ステップ）。
【００４６】
次いで、第２のモード動作部１２２は、接続されている全ＯＮＵ２について、登録内容がＯＡＭディスカバリーシーケンス、暗号化シーケンス、認証シーケンスの全て不要である場合（ステップＳＴ５０４‘ＹＥＳ’）、全ＯＮＵ２のＭＰＣＰリンクが確立された時点で全ＯＮＵの回線復旧となるためモード遷移部１２３は定常モードへ遷移する（ステップＳＴ５１２、モード遷移ステップ）。
【００４７】
一方、第２のモード動作部１２２は、接続されている少なくとも１台以上のＯＮＵ２の登録内容においてＯＡＭディスカバリーシーケンス、暗号化シーケンス、認証シーケンスの何れか又は全てが必要である場合、ＯＮＵ毎に必要なシーケンスを順に処理する（ステップＳＴ５０４〜５１１、第２のモード動作ステップ）。そして、全ＯＮＵ２に対して必要なシーケンスを完了すると全ＯＮＵ２の回線復旧となるためモード遷移部１２３は定常モードへ遷移する（ステップＳＴ５１２）。
【００４８】
次に、ＰＯＮ制御部１２の定常モードにおけるフローチャートについて図６に示す。
ＰＯＮ制御部１２の定常モードにおけるフローチャートでは、図６に示すように、モード遷移部１２３がＯＮＵ管理部１１からの通知により全ＯＮＵ回線復旧を検出して定常モードに遷移した後（ステップＳＴ６０１、モード遷移ステップ）、第１のモード動作部１２１は、一定周期間隔でＤｉｓｃｏｖｅｒｙＧａｔｅ信号を送信することでリンク未確立ＯＮＵ２があるか否かを確認する（ステップＳＴ６０２）。
【００４９】
このステップＳＴ６０２において、第１のモード動作部１２１は、新たにリンク未確立ＯＮＵ２が接続されたと判断した場合、ＤｉｓｃｏｖｅｒｙＧａｔｅ信号に対してＯＮＵ２がＲｅｇｉｓｔｅｒ  Ｒｅｑｕｅｓｔ信号を応答するため引き続きＭＰＣＰディスカバリーシーケンスを処理する（ステップＳＴ６０３〜６０９、第１のモード動作ステップ）。ＭＰＣＰリンク確立後は、ＯＮＵ管理部１１に登録された内容に従って必要なシーケンスを処理し新たに接続されたＯＮＵ２に対してデータ通信を可能とする。
なお、本動作は一定周期間隔（ステップＳＴ６１０）で繰り返すが、いずれのタイミングであってもＯＮＵ管理部１１から全ＯＮＵリンク断通知を受けるとＭＰＣＰリンク確立優先モードに遷移する。
【００５０】
以上のように、この実施の形態１によれば、ＯＮＵ２毎にＯＡＭディスカバリーシーケンス、暗号化シーケンス、認証シーケンスの各シーケンスが必要か否かを管理し、連続的にＭＰＣＰディスカバリーシーケンスを処理した後、ＯＮＵ２毎に必要なシーケンスのみ処理するように構成したので、連続的にＭＰＣＰディスカバリーシーケンスを処理することでリンク未確立のＯＮＵ２がＤｉｓｃｏｖｅｒｙＧａｔｅ信号を待つ時間を削減でき、また、不要なシーケンスを省略することで当該シーケンスに費やす時間を削減できるので、全ＯＮＵ２の回線を一度に復旧させる場合において復旧に要する時間を短くできる。
【００５１】
実施の形態２．
実施の形態１では全ＯＮＵ２の回線を一度に復旧させる動作モードとしてＭＰＣＰリンク確立優先モードを適用した場合について示した。これに対し、実施の形態２では、ＯＮＵ２毎に回線を復旧させるＯＮＵ毎回線復旧モードを適用した場合について示す。
図７はこの発明の実施の形態２に係るＰＯＮシステムの構成を示すブロック図である。  図７に示す実施の形態２に係るＰＯＮシステムは、図１に示す実施の形態１に係るＰＯＮシステムの第２のモード動作部１２２を第３のモード動作部１２４に変更したものである。その他の構成は同様であり、同一の符号を付して異なる部分についてのみ説明を行う。
【００５２】
第３のモード動作部１２４は、ＯＮＵ２毎に、ＭＰＣＰディスカバリーシーケンスを処理し、かつＯＮＵ管理部１１により管理される情報に基づいて必要なシーケンスを処理するＯＮＵ毎回線復旧モードで動作するものである。
【００５３】
図８はＰＯＮ制御部１２の状態遷移を示す図である。
図８に示すように、ＰＯＮ制御部１２は、定常モードとＯＮＵ毎回線復旧モードの２つの動作モードを持つ。
【００５４】
ここで、定常モードは実施の形態１と同じである。
一方、ＯＮＵ毎回線復旧モードは、ホールドオーバー機能にてＭＰＣＰリンクを維持できる一定時間以上の幹線光ファイバ４の瞬断後や全ＯＮＵ電源の一斉瞬停後等、全ＯＮＵ２の回線を一度に復旧させる動作モードである。
【００５５】
なお、モード遷移部１２３は、ＰＯＮ制御部１２が定常モードの場合において、ＯＮＵ管理部１１から全ＯＮＵリンク断通知を受けると、ＯＮＵ毎回線復旧モードに遷移する。  一方、モード遷移部１２３は、ＰＯＮ制御部１２がＯＮＵ毎回線復旧モードの場合において、ＯＬＴ１のＰＯＮ制御部１２が送信したＤｉｓｃｏｖｅｒｙＧａｔｅ信号に対していずれのＯＮＵ２のＰＯＮ制御部２１からもＲｅｇｉｓｔｅｒ  Ｒｅｑｕｅｓｔ信号を受信しない場合（ＯＮＵ管理部１１から全ＯＮＵ回線復旧通知を受けると）、定常モードに遷移する。
【００５６】
次に、上記のように構成されたＰＯＮシステムの動作について説明する。まず、ＰＯＮ制御部１２のＯＮＵ毎回線復旧モードにおけるＰＯＮシステム全体の動作について、図９を参照しながら説明する。なお以下では、ＯＮＵ管理部１１により管理されるＯＮＵ管理テーブルとして図２に示すものを用いるものとする。
ＰＯＮ制御部１２のＯＮＵ毎回線復旧モードにおけるＰＯＮシステム全体の動作では、図９に示すように、ＰＯＮ制御部１２のモード遷移部１２３は、ＯＮＵ管理部１１からの通知により全ＯＮＵリンク断を検出し、ＯＮＵ毎回線復旧モードに遷移する。そして、第３のモード動作部１２４は、接続されている複数のＯＮＵ２のうちのＯＮＵ♯１から順に、ＭＰＣＰディスカバリーシーケンスと、ＯＮＵ管理テーブルに基づく必要なシーケンスを処理する。
【００５７】
第３のモード動作部１２４は、まず、ＯＮＵ♯１に対するＭＰＣＰディスカバリーシーケンスと、ＯＮＵ管理テーブルに基づく必要なシーケンスを開始する。ここで、図２に示すＯＮＵ管理テーブルにおいて、ＯＮＵ♯１の登録内容は、ＯＡＭディスカバリーシーケンス、暗号化シーケンス及び認証シーケンスの処理が不要となっている。そのため、ＯＮＵ♯１は、ＭＰＣＰディスカバリーシーケンスが完了してＭＰＣＰリンクが確立された時点で回線復旧し、データ通信が可能となる。
【００５８】
そして、第３のモード動作部１２４は、ＯＮＵ♯１に対するＭＰＣＰディスカバリーシーケンスが完了して回線復旧すると、従来のＰＯＮシステムにおける一定周期の時間間隔を待たずして次のＯＮＵ♯２に対するＭＰＣＰディスカバリーシーケンスと、ＯＮＵ管理テーブルに基づく必要なシーケンスを開始する。
【００５９】
ここで、図２に示すＯＮＵ管理テーブルにおいて、ＯＮＵ♯２の登録内容は、ＯＡＭディスカバリーシーケンスの処理が必要となっており、暗号化シーケンス及び認証シーケンスの処理が不要となっている。そのため、第３のモード動作部１２４は、ＯＮＵ♯２がＭＰＣＰリンクを確立した後、ＯＮＵ♯２に対するＯＡＭディスカバリーシーケンスを処理する。そして、ＯＮＵ♯２は、ＯＡＭリンクが確立された時点で回線復旧し、データ通信が可能となる。
【００６０】
そして、第３のモード動作部１２４は、ＯＮＵ♯２が回線復旧した後、ＯＮＵ♯３に対するＭＰＣＰディスカバリーシーケンスと、ＯＮＵ管理テーブルに基づく必要なシーケンスを開始する。
【００６１】
ここで、図２に示すＯＮＵ管理テーブルにおいて、ＯＮＵ♯３の登録内容は、ＯＡＭディスカバリーシーケンスの処理が不要となっており、暗号化シーケンス及び認証シーケンスの処理が必要となっている。そのため、第３のモード動作部１２４は、ＯＮＵ♯３がＭＰＣＰリンクを確立した後、ＯＮＵ♯３に対する暗号化シーケンス及び認証シーケンスを処理する。そして、ＯＮＵ♯３は、データの暗号化と認証が完了した時点で回線復旧し、データ通信が可能となる。
【００６２】
その後、第３のモード動作部１２４は、同様にＯＮＵ２毎にＭＰＣＰディスカバリーシーケンスと必要なシーケンスを次々と処理することで全ＯＮＵ２の回線を復旧させ、全ＯＮＵ２のデータ通信を可能とする。その後、モード遷移部１２３は、ＯＮＵ管理部１１から全ＯＮＵ回線復旧通知を受けて定常モードに遷移する。
【００６３】
次に、ＰＯＮ制御部１２のＯＮＵ毎回線復旧モードにおけるフローチャートについて図１０に示す。なお、ＯＮＵ管理部１１は、ＯＮＵ管理テーブルの管理を行っている（ＯＮＵ管理ステップ）。
ＰＯＮ制御部１２のＯＮＵ毎回線復旧モードにおけるフローチャートでは、図１０に示すように、モード遷移部１２３がＯＮＵ管理部１１からの通知により全ＯＮＵリンク断を検出してＯＮＵ毎回線復旧モードに遷移した後（ステップＳＴ１００１、モード遷移ステップ）、第３のモード動作部１２４は、回線復旧していないＯＮＵ２がある限りリンク未確立ＯＮＵに対するＭＰＣＰディスカバリーシーケンス及び必要なシーケンスをＯＮＵ２毎に処理し、ＯＮＵ毎に回線復旧させる（ステップＳＴ１００２〜１００９、第３のモード動作ステップ）。その後、全ＯＮＵ２が回線復旧となるとモード遷移部１２３は定常モードへ遷移する（ステップＳＴ１０１０、モード遷移ステップ）。
【００６４】
以上のように、この実施の形態２によれば、ＯＮＵ２毎にＯＡＭディスカバリーシーケンス、暗号化シーケンス、認証シーケンスの各シーケンスが必要か否かを管理し、ＯＮＵ２毎に、ＭＰＣＰディスカバリーシーケンスと、ＯＮＵ管理テーブルに基づく必要なシーケンスを処理するように構成したので、あるＯＮＵ２の回線復旧後直ちに別のリンク未確立ＯＮＵ２に対するＭＰＣＰディスカバリーシーケンスを処理することでリンク未確立ＯＮＵ２がＤｉｓｃｏｖｅｒｙＧａｔｅ信号を待つ時間を削減でき、また、不要なシーケンスを省略することで当該シーケンスに費やす時間を削減できるので、全ＯＮＵ２の回線を一度に復旧させる場合において復旧に要する時間を短くできる。
なお、実施の形態１では、ＭＰＣＰリンク確立後の各シーケンスが不要なＯＮＵ２を優先的に回線復旧させる効果があるが、実施の形態２では、ＭＰＣＰリンク確立後の各シーケンスが必要か否かに関係なく全ＯＮＵ２を平等に回線復旧させることができる。
【００６５】
実施の形態３．
ＰＯＮシステムにおけるＯＡＭリンクの確立はＯＮＵ２に対する遠隔設定／制御のイベントが発生した際に必要となる。しかしながら、遠隔設定／制御のイベントが発生しない間はＯＡＭディスカバリーシーケンスを処理する必要はない。
また、ＰＯＮシステムのトポロジー的特徴として下りデータが同報伝送されるため、通信の秘匿性を担保するためには下りデータを暗号化し宛先ＯＮＵ２のみが復号できるようにする必要がある。よって、下りデータは常に暗号化しておき、あるＯＮＵ２宛の下りデータが発生した際に当該ＯＮＵ２にて復号できるようにする必要がある。しかしながら、下りデータが発生しない間は暗号化シーケンスを処理する必要はない。
また、ＯＮＵ２を認証する目的は上りデータの送信を許可するか否かが主である。よって、上りデータが発生しない間は認証シーケンスを処理する必要はない。
このように、ＭＰＣＰリンク確立後のＯＡＭディスカバリーシーケンス、暗号化シーケンス、認証シーケンスは、必要となるイベントが発生するまで処理を後回しにすることが可能である。以下では、上記旨を考慮した構成について示す。
【００６６】
図１１はこの発明の実施の形態３に係るＰＯＮシステムの構成を示すブロック図である。図１１に示す実施の形態３のＰＯＮシステムは、図１に示す実施の形態１に係るＰＯＮシステムに監視制御端末６を追加し、ＯＬＴ１にデータバッファ１４及び下りデータ監視部１５を追加し、ＯＮＵ２にデータバッファ２３を追加し、ＰＯＮ制御部１２の第２のモード動作部１２２を第４のモード動作部１２５に変更したものである。その他の構成は同様であり、同一の符号を付して異なる部分についてのみ説明を行う。
【００６７】
監視制御端末６は、遠隔でＯＮＵ２に対する設定又は制御を行うものである。
【００６８】
データバッファ１４は、ＯＮＵ２毎の下りデータを蓄積するものである。全ＯＮＵリンク断が発生後、あるＯＮＵ２宛の下りデータが初めて発生した際、当該ＯＮＵ２との暗号化シーケンスが完了するまでの間送信を保留される下りデータを蓄積することで、データの廃棄を回避する。
下りデータ監視部１５は、データバッファ１４に蓄積されるデータを監視し、ＯＮＵ２毎の下りデータ発生をＯＮＵ管理部１１へ通知するものである。
【００６９】
データバッファ２３は、ＯＮＵ２の上りデータを蓄積するものである。全ＯＮＵリンク断が発生後、ＯＮＵ２の上りデータが初めて発生した際、当該ＯＮＵ２との認証シーケンスが完了するまでの間送信を保留される上りデータを蓄積することで、データの廃棄を回避する。
【００７０】
なお、ＯＬＴ１のＰＯＮ制御部１２は、実施の形態１の機能に加えて、ＯＮＵ２より通知されるＲｅｐｏｒｔ信号の内容からＯＮＵ２毎の上りデータ発生をＯＮＵ管理部１１へ通知する機能を有している。
また、ＯＬＴ１のＯＮＵ管理部１１は、実施の形態１に加えてＯＮＵ２毎に遠隔設定／制御の発生有無、下りデータの発生有無、上りデータの発生有無を管理する。
【００７１】
ここで、ＯＮＵ管理部１１により管理されるＯＮＵ管理テーブルの一例について図１２に示す。
図１２に示すＯＮＵ管理テーブルでは、図２に示す実施の形態１におけるＯＮＵ管理テーブルにて管理される情報に加えて、ＯＮＵ２毎に、各種シーケンスの処理を必要とするイベントの発生有無を示す情報（遠隔設定／制御の発生有無、下りデータの発生有無、上りデータの発生有無）を管理する。
【００７２】
第４のモード動作部１２５は、全てのＯＮＵ２に対してＭＰＣＰディスカバリーシーケンスを連続的に処理し、その後、ＯＮＵ管理部１１により管理される情報に基づいて特定のイベントが発生した場合に必要なシーケンスを処理する逐次回線復旧モードで動作するものである。
【００７３】
図１３はＰＯＮ制御部１２の状態遷移を示す図である。
図１３に示すように、ＰＯＮ制御部１２は、定常モードと逐次回線復旧モードの２つの動作モードを持つ。
【００７４】
ここで、定常モードは、実施の形態１と同じである。
一方、逐次回線復旧モードは、全ＯＮＵ２の回線を一度に復旧させる動作モードである。
【００７５】
なお、モード遷移部１２３は、ＰＯＮ制御部１２が定常モードの場合において、ＯＮＵ管理部１１から全ＯＮＵリンク断通知を受けると、逐次回線復旧モードに遷移する。一方、モード遷移部１２３は、ＰＯＮ制御部１２が逐次回線復旧モードの場合において、ＯＮＵ管理部１１から全ＯＮＵ回線復旧通知を受けると、定常モードに遷移する。
【００７６】
次に、上記のように構成されたＰＯＮシステムの動作について説明する。まず、ＰＯＮ制御部１２の逐次回線復旧モードにおけるＰＯＮシステム全体の動作について、図１４を参照しながら説明する。なお以下では、ＯＮＵ管理部１１により管理されるＯＮＵ管理テーブルとして図１２に示すものを用いるものとする。
ＰＯＮ制御部１２の逐次回線復旧モードにおけるＰＯＮシステム全体の動作では、図１４に示すように、ＰＯＮ制御部１２のモード遷移部１２３は、ＯＮＵ管理部１１からの通知により全ＯＮＵリンク断を検出して逐次回線復旧モードに遷移する。そして、第４のモード動作部１２５は、接続されている複数の全ＯＮＵ２に対して順次ＭＰＣＰディスカバリーシーケンスを処理する。
【００７７】
第４のモード動作部１２５は、まず、ＯＮＵ♯１に対するＭＰＣＰディスカバリーシーケンスを開始する。ここで、図１２に示すＯＮＵ管理テーブルにおいて、ＯＮＵ♯１の登録内容は、ＯＡＭディスカバリーシーケンス、暗号化シーケンス及び認証シーケンスの処理が不要となっている。そのため、ＯＮＵ♯１は、ＭＰＣＰディスカバリーシーケンスが完了してＭＰＣＰリンクが確立された時点で回線復旧し、データ通信が可能となる。
その後、第４のモード動作部１２５は、同様に接続された全ＯＮＵ２がＭＰＣＰリンクを確立するまで次々とＭＰＣＰディスカバリーシーケンスを処理する。
【００７８】
そして、第４のモード動作部１２５は、全ＯＮＵ２に対するＭＰＣＰディスカバリーシーケンスが完了すると、遠隔設定／制御や下りデータ発生や上りデータ発生といったイベントが発生したＯＮＵ２に対して必要なシーケンスを処理する。例えばＯＮＵ♯３にて下りデータが発生した場合にはＯＮＵ♯３に対する暗号化シーケンスを処理し、続いてＯＮＵ♯３にて上りデータが発生した場合にはＯＮＵ♯３に対する認証シーケンスを処理する。
ここで、図１２に示すＯＮＵ管理テーブルにおいて、ＯＮＵ♯３は暗号化シーケンス及び認証シーケンスの処理が必要となっている。そのため、ＯＮＵ♯３は、認証シーケンスが完了した時点で回線復旧する。
【００７９】
第４のモード動作部１２５は、同様にＯＮＵ２毎にイベントが発生する度に必要なシーケンスを次々と処理することで全ＯＮＵ２の回線を復旧させ、全ＯＮＵ２のデータ通信を可能とする。その後、モード遷移部１２３は、ＯＮＵ管理部１１から全ＯＮＵ回線復旧通知を受けて定常モードに遷移する。
【００８０】
次に、ＰＯＮシステムによるＰＯＮ制御部１２の逐次回線復旧モードにおけるフローチャートについて図１５に示す。なお、ＯＮＵ管理部１１は、ＯＮＵ管理テーブルの管理を行っている（ＯＮＵ管理ステップ）。
ＰＯＮシステムによるＰＯＮ制御部１２の逐次回線復旧モードにおけるフローチャートでは、図１５に示すように、モード遷移部１２３がＯＮＵ管理部１１からの通知により全ＯＮＵリンク断を検出して逐次回線復旧モードに遷移した後（ステップＳＴ１５０１、モード遷移ステップ）、第４のモード動作部１２５は、リンク未確立ＯＮＵ２がある限り当該ＯＮＵ２に対するＭＰＣＰディスカバリーシーケンスを処理し、全ＯＮＵ２のＭＰＣＰリンクを確立させる（ステップＳＴ１５０２，１５０３、第４のモード動作ステップ）。
【００８１】
そして、接続されている全ＯＮＵ２について、登録内容がＯＡＭディスカバリーシーケンス、暗号化シーケンス及び認証シーケンスの全ての処理が不要となっている場合（ステップＳＴ１５０４‘ＹＥＳ’）、全ＯＮＵ２のＭＰＣＰリンクが確立された時点で全ＯＮＵの回線復旧となるためモード遷移部１２３は定常モードへ遷移する（ステップＳＴ１５１８、モード遷移ステップ）。
【００８２】
一方、接続されている少なくとも１台以上のＯＮＵ２の登録内容においてＯＡＭディスカバリーシーケンス、暗号化シーケンス、認証シーケンスの何れか又は全てが必要である場合、遠隔設定／制御や下りデータ発生や上りデータ発生といったイベントが発生したＯＮＵ２に対して逐次必要なシーケンスを処理する（ステップＳＴ１５０４〜１５１７、第４のモード動作ステップ）。その後、全ＯＮＵ２に対して必要なシーケンスを完了すると全ＯＮＵ２の回線復旧となるためモード遷移部１２３は定常モードへ遷移する（ステップＳＴ１５１８，モード遷移ステップ）。
【００８３】
以上のように、この実施の形態３によれば、ＯＮＵ２毎にＯＡＭディスカバリーシーケンス、暗号化シーケンス、認証シーケンスの各シーケンスが必要か否か、及び当該シーケンスを必要とするイベントの発生有無を管理し、ＯＮＵ２に対してＭＰＣＰディスカバリーシーケンスを連続的に処理し、その後、ＯＮＵ管理部１１により管理される情報に基づいて特定のイベントが発生したときに必要なシーケンスを処理するように構成したので、実施の形態１の効果に加えて、各種シーケンスの処理を必要となるイベントが発生するまで後回しにすることで、先にイベントが発生したＯＮＵ２の回線復旧までの時間をさらに短くできる。
【００８４】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８５】
この発明に係るＰＯＮシステムは、高速に回線を復旧することができ、ＯＬＴと複数のＯＮＵＰＯＮシステムにおいて、特にＯＬＴと全ＯＮＵとの間でデータ通信が可能な回線を高速に復旧させるＰＯＮシステム等に用いるのに適している。
【符号の説明】
【００８６】
１  ＯＬＴ、２  ＯＮＵ、３  光分岐器、４  幹線光ファイバ、５  支線光ファイバ、６  監視制御端末、１１  ＯＮＵ管理部、１２  ＰＯＮ制御部、１３  光送受信部、１４  データバッファ、１５  下りデータ監視部、２１  ＰＯＮ制御部、２２  光送受信部、
２３  データバッファ、１２１  第１のモード動作部、１２２  第２のモード動作部、１２３  モード遷移部、１２４  第３のモード動作部、１２５  第４のモード動作部。
【図１】
0005955473.tif 000002
【図２】
0005955473.tif 000003
【図３】
0005955473.tif 000004
【図４】
0005955473.tif 000005
【図５】
0005955473.tif 000006
【図６】
0005955473.tif 000007
【図７】
0005955473.tif 000008
【図８】
0005955473.tif 000009
【図９】
0005955473.tif 000010
【図１０】
0005955473.tif 000011
【図１１】
0005955473.tif 000012
【図１２】
0005955473.tif 000013
【図１３】
0005955473.tif 000014
【図１４】
0005955473.tif 000015
【図１５】
0005955473.tif 000016